(57)【要約】【課題】対象構造物の一側の位置から左側方向に向かってのみ設置作業を行うことが可能である、ブラインドボルト型留め金具を提供する。【解決手段】通孔３２ａへ通すことが可能な外径の外筒５３の中空部内にボルト５が通されており、ボルト５０は外筒５３の長さＬ２よりも長い構成とされている。ボルト５０の先端側部分に、ボルト５０の軸線と直交する配置の回転軸５５により通孔３１ａを設けた壁板３１の背面側へ掛け止まる回転半径の位置決めストッパ片５４が、その偏重量配分の位置を軸５５で回転可能に取り付けられている。ボルト５０の手前側端部に雄ねじ部５０ａが形成され、雄ねじ部５０ａにナット部材５１がねじ込まれている。外筒５３の長さＬ２ は、ボルト用通孔のうち、外筒５３の先端が突き当たるように小径の通孔３１ａを設けた壁板３１の手前側面から、ボルト挿入側の壁板３２の外面までの距離Ｌ１とほぼ同等とされている。【選択図】図１
2017032114.tif 000002
【特許請求の範囲】
【請求項１】
ボルトを設置するべき対象構造物の複数の壁板等に、ボルト設置用の通孔がそれぞれ共通な中心線上に一連に設けられ、
前記通孔へ通すことが可能な外径の外筒の中空部内にボルトが通されており、同ボルトは外筒の長さよりも長い構成とされており、
前記ボルトの先端側部分に、同ボルトの軸線と直交する配置の回転軸により前記通孔を設けた壁板の背面側へ掛け止まる回転半径の位置決めストッパ片が、その偏重量配分の位置を軸で回転可能に取り付けられており、
前記ボルトの手前側端部に雄ねじ部が形成され、同雄ねじ部にナット部材がねじ込まれていること、
外筒の長さは、前記ボルト用通孔のうち、外筒の先端が突き当たるように小径の通孔を設けた壁板の手前側面から、ボルト挿入側の壁板の外面までの距離とほぼ同等とされており、
前記ボルトの位置決めストッパ片を、その回転軸の回りに回転させてボルトの中心線と同方向に寝かせて当該ボルトと共に外筒の筒内へ収納させた状態で、同外筒及びボルトを前記壁板等の通孔へ通し、同外筒の前面が挿入限度位置と定めた壁板の手前側面へ突き当たった段階で、同外筒内のボルトを更に前方へ突き出させて位置決めストッパ片をその偏重量配分の作用で回転させて壁板の背後面へ掛け止め抜け止め状態となし、
その上で、更にボルトの前記ナット部材をねじ込み外筒の端面へ圧接させ固定する構成であることを特徴とする、ブラインドボルト型留め金具。
【請求項２】
前記ボルトの手元側端部の雄ねじ部へねじ込まれたナット部材に、使用目的に応じた構造の治具が設けられていることを特徴とする、請求項１に記載したブラインドボルト型留め金具。
【請求項３】
ボルトの先端部位であって、位置決めストッパ片を同ボルトの軸線と直交する配置の回転軸により回転可能に取り付ける範囲に、同位置決めストッパ片をボルトの軸線方向へ収納可能な溝幅及び長さの長溝孔が設けられ、
同長溝孔内に、ボルトの軸線と直交する配置の回転軸により位置決めストッパ片が回転可能に設置されており、前記長溝孔に沿って位置決めストッパ片をボルトの軸線方向へ収納した際に同位置決めストッパ片の収納状態を仮保持する位置決め突起が設けられている構成を特徴とする、請求項１又は２に記載したブラインドボルト型留め金具。
【請求項４】
位置決めストッパ片をボルトの先端部分へ回転可能に取り付ける回転軸を通すべくボルトに設ける軸孔は、位置決めストッパ片の回転及び収納操作に適する長さの長孔としてボルトの軸線方向に長く形成されていることを特徴とする、請求項１〜３のいずれか一に記載したブラインドボルト型留め金具。
【発明の詳細な説明】
【技術分野】
【０００１】
この発明は、例えば図３に実施例を示したように、既設の閉鎖断面構造物、特に図３には図示を省略したが、内部に複数の仕切り板などを備えた中空構造２など（以下、これらを対象構造物という。）に対して、同対象構造物の一側(図３では右側）の位置から左側方向に向かってのみ設置作業を行うことが可能で、同対象構造物へボルト設置用の通孔３２ａ、３１ａを設けて、同通孔３２ａと３１ａへ右側位置から左方へボルト５０を通して強固に固定する設置作業を行い、更に同ボルト５０を利用して種々な目的、用途に供することが可能という、厳しい制限を受ける場合に使用可能な、所謂ブラインドボルト型留め金具の技術分野に属する。
【背景技術】
【０００２】
上記図３の左側へは作業員が立ち入ることができず（又は回り込めず）、右側の位置からのみ当該対象構造物２へボルト用の通孔を設けたり、右側位置のみから左方に向かってボルト５０を通すなどの各作業が可能という制限を受ける場合でも、その制限をクリヤーして前記ボルトを設置し、種々な目的、用途に使用したいと欲する事例が種々起こる。
こうした場合に、現状の技術水準としては、いわゆる「ブラインドボルト」と呼ばれる留め金具の使用が既に知られ、例えば下記した先行技術文献１〜５に開示された通り多種多様に公知であり、既製品も多種存在する。
【先行技術文献】
【特許文献】
【０００３】
【特許文献１】特開２００５−６１４９０号公報
【特許文献２】特開２００６−２２６２９５号公報
【特許文献３】特開２０１１−１３３０７７号公報
【特許文献４】特開２０１２−１４５１２７号公報
【特許文献５】特許第３５３２５５９号公報
【発明の概要】
【発明が解決しようとする課題】
【０００４】
しかし、図３に基づいて説明した事例のように、厳しい作業上の制限を受ける条件下でもなお、この対象構造物２へボルト５０をがっちり強固に設置して目的を達成できる構成のブラインドボルトは、現在のところ見当たらない。そのため上記の条件下で作業するほかない当事者は、そうした設置作業の実施に難渋している。
【０００５】
何故なら、上記の各特許文献１〜５に開示された発明等に見られる、いわゆるブラインドボルトと呼ばれる公知の留め金具はいずれも、対象構造物に対して、作業者の立ち位置から見て最も手前側位置の１枚の壁板（図３の例で言えば符号３２の壁板）の背面側に反力をとって設置する構成でしかないからである。
図３に例示した対象構造物２の複数の壁板３２、３１に設けたボルト用通孔へ通したボルトを、作業者の位置から見て二つ目或いは三つ目等の通孔を設けた壁板の背面側に反力をとって、同ボルトを強固に設置可能な構成のブラインドボルトは現状見当たらないのである。よって、そうした目的の作業に応じることが出来ず、不便にしている。
【０００６】
因みに、上記各特許公報１〜５に開示された既知のブラインドボルトの構成はいずれも、ボルトの先端部へ回転可能に取り付けたストッパ片を、使用の当初に、使用者が指先又は適切な小物等でボルトの中心線と同方向の位置まで回転して寝かせた姿勢を仮支持せしめ、この仮支持の姿勢を保持しつつ通孔へ挿入するほかない構成である。よって、通孔を通過すると直ちにストッパ片を解放するほかなく、同通孔の背後側壁面にストッパ機能を発揮させるだけの構成でしかない。
そのため作業者の位置から数えて最初の通孔を通過した壁板より以深（奥側）の任意所望の壁板に同ボルトの設置に必要な反力を得ることはできない構成である。
【０００７】
本発明の目的は、複数の外壁板及び／又は内部の仕切り板等によって複数に仕切られた構成の既設構造物や物品等のいわゆる対象構造物へ、その外壁板と直交する向きに通孔を設け、同通孔へ挿入したボルトを、手前側から見て必要とする奥側位置の壁板又は仕切り板の背後面側に支持反力を取って固定し設置して使用することが可能な構成としたブラインドボルト型留め金具を提供することである。
【課題を解決するための手段】
【０００８】
上記の課題を解決する手段として、請求項１に記載した発明に係るブラインドボルト型留め金具５は、
ボルト５０を設置するべき対象構造物３の複数の壁板３１、３２等に、ボルト設置用の通孔３１ａ、３２ａがそれぞれ共通な中心線上に一連に設けられ、
前記通孔３２ａへ通すことが可能な外径の外筒５３の中空部内にボルト５が通されており、同ボルト５０は外筒５３の長さＬ２よりも長い構成とされており、
前記ボルト５０の先端側部分に、同ボルト５０の軸線と直交する配置の回転軸５５により前記通孔３１ａを設けた壁板３１の背面側へ掛け止まる回転半径の位置決めストッパ片５４が、その偏重量配分の位置を軸５５で回転可能に取り付けられており、
前記ボルト５０の手前側端部に雄ねじ部５０ａが形成され、同雄ねじ部５０ａにナット部材５１がねじ込まれていること、
外筒５３の長さＬ２ は、前記ボルト用通孔のうち、外筒５３の先端が突き当たるように小径の通孔３１ａを設けた壁板３１の手前側面から、ボルト挿入側の壁板３２の外面までの距離Ｌ１とほぼ同等とされており、
前記ボルト５０の位置決めストッパ片５４を、その回転軸５５の回りに回転させてボルト５０の中心線と同方向に寝かせて当該ボルト５０と共に外筒５３の筒内へ収納させた状態で、同外筒５３及びボルト５０を前記壁板３２等の通孔３２ａへ通し、同外筒５３の前面が挿入限度位置と定めた壁板３１の手前側面へ突き当たった段階で、同外筒５３内のボルト５０を更に前方へ突き出させて位置決めストッパ片５４をその偏重量配分の作用で回転させて壁板３１の背後面へ掛け止め抜け止め状態となし、
その上で、更にボルト５０の前記ナット部材５１をねじ込み外筒５３の端面へ圧接させ固定する構成であることを特徴とする。
【０００９】
請求項２記載の発明は、請求項１に記載したブラインドボルト型留め金具において、
前記ボルト５０の手前側端部の雄ねじ部５０ａへねじ込まれたナット部材５１に、使用目的に応じた構造の治具５２が設けられていることを特徴とする。
【００１０】
請求項３記載の発明は、請求項１又は２に記載したブラインドボルト型留め金具において、
ボルト５０の先端部位であって、同ボルト５０の軸線と直交する配置の回転軸５５を中心に位置決めストッパ片５４が回転される範囲に、同位置決めストッパ片５４をボルト５５の軸線と同方向に収納可能な溝幅及び長さの長溝孔５６が設けられ、
同長溝孔５６内に沿って位置決めストッパ片５４をボルト５０の軸線方向へ収納した際に同位置決めストッパ片５４の収納状態を仮保持する位置決め突起５７又は５７’が設けられている構成を特徴とする。
【００１１】
請求項４記載の発明は、請求項１〜３のいずれか一に記載したブラインドボルト型留め金具において、
位置決めストッパ片５４をボルト５０の先端部分へ回転可能に取り付ける回転軸５５の軸孔は、位置決めストッパ片５４の回転及び収納の操作に適する長さの長孔５８としてボルト５０の軸線方向に長く形成されていることを特徴とする。
【発明の効果】
【００１２】
請求項１〜４に記載した発明に係るブラインドボルト型留め金具は、複数の壁板及び又は内部の仕切り板等（その図示は省略した）で構成された、例えば図２、図３に例示したような対象構造物３の外壁板３１、３２のボルト設置目標位置へ、ボルトを設置する場合に好適に使用できる。
即ち、前記対象構造物３の一側部位（図２、図３の右側部位）にのみ確保できる作業位置で作業するほかない制約を受ける場合に、前記対象構造物３の手前側壁板３２から反対側の壁板３１に向かって、内部に仕切り壁が何枚存在しようとも、外筒５３を通過させ得る口径の通孔３２ａを、ドリルなどを使用して一連の配置（中心線が共通する配置）に設ける。
但し、同外筒５３の先端を突き当たらせて通さない挿入限度位置の壁板３１には、同外筒５３を通さないが、ボルト５０は通す口径の通孔３１ａを設ける。
一方、前記ボルト５０の手前側端部（頭部側）の雄ねじ部５０ａへナット部材５１を適度な位置までねじ込んだ状態とし、同ボルト５０の先端部に付属させた位置決めストッパ片５４は、回転軸５５を中心に回転操作して、ボルト５０の軸線方向に沿って寝かせた配置とし、そのまま同ボルト５０と共に外筒５３の筒内部へ挿入すると、設置の準備ができる。
そこで、当該ブラインドボルト型留め金具５の前記外筒５３とナット部材５１の組み合わせ状態を維持するように手に持って、対象構造物３（図示例の閉鎖断面構造物）の壁板３１、３２に用意した手前側の通孔３２ａから先方の通孔３１ａに向かって挿入する。
【００１３】
こうして上記外筒５３の先端（図２中の左端）が、左方の壁板３１の通孔３１ａに向かって進み、同外筒５３に内蔵させたボルト５０の挿入、設置が行われる。
図２Ａのように外筒５３の先端（左端）が左側の壁板３１の手前側面へ突き当たって止まった段階で、外筒５３に内蔵されたボルト５０を前方へ押し出すと、外筒５３から抜け出て拘束力を失ったストッパ片５４は、その偏重量効果により約９０度回転して、図２Ｂに示すぶら下がり状態になる。
そこで今度は、ボルト５０を手前側へ引っ張る。すると図２Ｃに例示したように、ボルト５０と共に右行した位置決めストッパ片５４が、上記ぶら下がり状態のまま壁板３１の背面（左側面）たって止まり抜け止め状態となる。
そこで、ボルト５０の右端に取り付けたナット部材５１をねじ込むと、逆にボルト５０が右方へ引き出され、遂には図２Ｃに示したとおり、ストッパ片５４が壁板３１の背面に接し必要十分な反力を得てナット部材５１の締め込みができ、ボルト５０の強固な設置状態を確立できる。
つまり、対象構造物３が内部に何枚かの仕切り壁板等を備えた構成であっても、ボルト５０は上記の手順で確実に強固に設置でき、このボルト５０を利用して各種の目的を達成することができる。
【００１４】
例えばナット部材５１へ予め用意した円形リング形状の治具５２などを利用して、図３のように円形リング５２内へワイヤー４を通すなどの使用目的を必要十分に達成することができる。
【図面の簡単な説明】
【００１５】
【図１】Ａ〜Ｃは本発明によるブラインドボルト型留め金具を使用する場合の主な操作手順を段階的に示した斜視図である。
【図２】Ａ〜Ｃは本発明によるブラインドボルト型留め金具を対象構造物へ設置する使用手順を順に示した一部破断の正面図である。
【図３】本発明によるブラインドボルト型留め金具の使用状態を一部破断して示した斜視図である。
【図４】本発明によるブラインドボルト型留め金具の異なる実施例を一部分を破断して示した正面図である。
【発明を実施するための形態】
【００１６】
ボルト５０を設置するべき対象構造物３の複数の壁板３１、３２等に、ボルト設置用の通孔３１ａ、３２ａをそれぞれ共通な中心線上に一連に設ける。
前記通孔３２ａへ通すことが可能な外径の外筒５３の中空部内にボルト５を通す。同ボルト５０は、外筒５３の長さＬ２よりも長い構成とされる。
前記ボルト５０の先端側部分に、同ボルト５０の軸線と直交する配置の回転軸５５により、前記通孔３１ａを設けた壁板３１の背面側へ掛け止まる回転半径の位置決めストッパ片５４が、その偏重量配分の位置を軸５５で回転可能に取り付けられる。
前記ボルト５０の手前側端部に雄ねじ部５０ａが形成され、同雄ねじ部５０ａにナット部材５１がねじ込まれる。
外筒５３の長さＬ２は、前記ボルト用通孔のうち、外筒５３の先端が突き当たるように小径の通孔３１ａを設けた壁板３１の手前側面から、ボルト挿入側の壁板３２の外面までの距離Ｌ１とほぼ同等とされる。
前記ボルト５０の位置決めストッパ片５４は、回転軸５５の回りに回転させてボルト５０の中心線と同方向に寝かせ、当該ボルト５０と共に外筒５３の筒内へ収納させる。
前記外筒５３及びボルト５０を前記壁板３２等の通孔３２ａへ通し、同外筒５３の前面が挿入限度位置と定めた壁板３１の手前側面へ突き当たった段階で、同外筒５３内のボルト５０を更に前方へ突き出させて位置決めストッパ片５４をその偏重量配分の作用で自由回転させ、壁板３１の背後面へ掛け止め抜け止め状態とする。
その上で、ボルト５０の前記ナット部材５１を必要充分位ねじ込み、外筒５３の端面へ圧接させ固定する。
【実施例１】
【００１７】
以下に、本発明のブラインドボルト型留め金具５を、図示した実施例に基づいて説明する。
図示した実施例は、本発明によるブラインドボルト型留め金具５が適用される対象構造物３の一例として、上下方向に長い管状の中空構造物を示している。
特にこの対象構造物３は、図２の右側位置にのみ作業用スペースないし足場を確保でき、作業員は同位置から図２、図３の左方向に向かって一方向にのみ、当該ブラインドボルト型留め金具５の使用の作業及び設置を進めることが許される場合を示している。  
本実施例では、内部の仕切り板等の図示は省略して、上の対象構造物３の左右両側の壁板３１と３２へそれぞれ、ブラインドボルト型留め金具５を設置する通孔３２ａと３１ａを、ドリル等を使用して一連の配置に設ける。
但し、各通孔３１ａと３２ａは、ボルト５０は貫通させ得るが、同ボルト５０を内蔵した外筒５３に関しては、右側位置の壁板３２の通孔３２ａへは通し得るが、左側の壁板３１の通孔３１ａには外筒５３を通過させ得ない。
外筒５３の左端は、左側壁板３１の手前側面（内面）へ突き当たって止まるように、同左側壁板３１の通孔３１ａの口径は、ボルト５０よりは大径であるが、外筒５３の外径よりは小さい構成とされている。
【００１８】
一方、本発明のブラインドボルト型留め金具５を構成するボルト５０は、図２Ａ〜Ｃに示したように、外筒５３の先端が左側壁板３１の手前側面（内面）へ突き当たって止められても更に、同左側壁板３１の通孔３１ａを楽に通り抜けて、左側壁板３１の左方へ一定の長さまで突き出る構成とされている。
ここで言う左方へ一定の長さ突き出るとは、図２ＡとＢの対比で明解なとおり、ボルト５０へ軸５５で回転可能に付設された位置決めストッパ片５４の全長が左側壁板３１の通孔３１ａを通り抜けて自由な状態となり、位置決めストッパ片５４がその偏重量効果で回転して略垂直な状態にぶら下がり得るまでの長さをいう。
より具体的に説明すると、対象構造物３の左右両側の壁板３１、３２の外面同士の間隔が約８０ｍｍ程度である場合に、外筒５３の長さＬ２は、前記両壁板３１と３２の間隔と略同じ８０ｍｍ前後の長さとされる。
この外筒５３の内径は、ボルト５０の外径が例えばφ１２ｍｍである場合に、同ボルト５０を楽に貫通させられるように、外筒５３の内径はφ１４ｍｍ程度に構成されている。
一方、同外筒５３の外径Ｄは、行き止まりとするべき左側の壁板３１に設けた通孔３１ａの口径よりは大きく形成され、同左側の壁板３２の内側面へ突き当たって確実に止められる構成とされる。もとより右側の壁板３２に設けた通孔３２ａの口径は、外筒５３の外径よりも十分大径とされ、この通孔３２ａへ通した外筒５３の右端は、作業上の便宜のために、右側の壁板３２の外面よりも若干右方へ突き出る長さに構成されている。    
【００１９】
上記外筒５３の中空部内へ通したボルト５０の長さは、同外筒５３の長さＬ２よりも後述するように一定の寸法だけ長いボルト５０が通されている。図示した実施例の場合、ボルト５０の長さは１５０ｍｍ程度で、その右側端部の約４０ｍｍの範囲に雄ねじ５０ａが形成され、ここにナット部材５１がねじ込まれている。
次に、ボルト５０の先端部位（図中左側端部）に、位置決めストッパ片５４が、同ボルト５０の軸線と直交する配置の回転軸５５により回転可能に取り付けられている。
図示した位置決めストッパ片５４は、上記外筒５３の内径よりも細幅（そして、ボルト５０の軸径と同寸以下）の幅の鋼板材を加工して構成されている。
図３の記載が分かりやすいように、ボルト５０の先端部分に、前記位置決めストッパ片５４を回転可能に緩く収納可能な幅及び長さの長溝５６が形成され、この長溝孔５６内へボルト５０の軸線とほぼ並行して沿う姿勢に回転させて収められるように、位置決めストッパ片５４は回転軸５５で回転自在に取り付けられている。
この場合、回転軸５５による位置決めストッパ片５４の支持位置は、同位置決めストッパ片５４を長さ方向に見た重量配分において、片側約半分が重い偏重量配分の位置を回転軸５５により回転自在に設置されている。したがって、位置決めストッパ片５４は、図１Ｂのように外筒５３の筒内に収まった状態から、図１Ｃのように外部へ露出して拘束力を失うと、重量配分が重く偏った偏重量効果により、回転軸５５を中心として回転し、ボルト５０の軸線と直交する姿勢になる。
【００２０】
上記の位置決めストッパ片５４には更に、前記回転軸５５の位置を中心として、重い先端側部分の回転方向前側の縁部に、矩形状の切欠き部５４ａが形成されている（図１Ａ、Ｃ参照）。
他方、ボルト５０は、前記位置決めストッパ片５４の回転軸５５の位置よりも先端寄り側部分で、前記の切欠き部５４ａが回転し接近して丁度突き当たる位置に、前記の切欠き部５４ａが丁度突き当たる位置に、同切欠き部５４ａを収納して保持する溝部５６が形成されている。その結果、図１Ｂに示したように、位置決めストッパ片５４は丁度外筒５３の中空部内へ収まる構成（図１Ｂ参照）とされている。
こうして図１Ｂに示したように、位置決めストッパ片５４をボルト５０の軸線と同方向となるまで回転させた収納状態では、丁度、前記切欠き部５４ａがボルト５０の対応位置に形成した逃げ溝５６へ嵌まって噛み合い、ボルト５０の外径の範囲内に収まる構成である。
上記のようにしてボルト５０の軸線に沿う収納状態に位置決め保持された位置決めストッパ片５４は、図３Ｂに示した如く、外筒５３の筒内部へ入れ込んだ収納姿勢にして、以後の設置施工の各操作を行うことになり、その操作上に好都合である。
【００２１】
なお、上記したように位置決めストッパ片５４を回転可能に支持する回転軸５５については、同回転軸５５を支持させるべくボルト５０に設ける軸孔５８を図１Ａに示したように単純な円形軸孔として設ける場合のほか、図２Ａに見るとおり、ボルト５０の軸線方向に若干長い長円形状に形成すると使用上好都合である。その意図は、位置決めストッパ片５４を、図２Ａに示した如くボルト５０の軸線に沿わせる収納姿勢に操作する際、あるいは切欠き部５４ａを位置決め突起５７（図２Ａ）へ嵌めて収納姿勢を安定に保持させる操作に際し、その操作性がすこぶる容易（自在）となり、取り扱いやすくなるからである。
【００２２】
次に、ボルト５０の先端部位に、位置決めストッパ片５４を回転軸５５で設置する構成の異なる実施態様としては、図１Ａに例示したように、上記ボルト５０の軸線方向へ長溝孔５６を設けて、この長溝孔５６内へ設置する構成を実施可能である。
或いは前記長溝孔５６の片側半分の溝壁を先端まで切除したに等しい平面部６０（図４を参照）を形成し、同平面部６０に沿って位置決めストッパ片５４を平行に配置し、長溝孔５８へ通した回転軸５５にて位置決めストッパ片５４を回転自在に設置した構成も同様に実施することができる。
図４に示した実施例の場合、位置決めストッパ片５４の切欠き部５４ａを嵌める位置決め突起５７’を、ボルト５０の先端部位に、回転軸５５と同方向も片持収納状態に設置した支持軸状態の突起として設けて実施するのが好都合である。
【００２３】
上記構成の外筒５３は、図２Ａ、Ｂに示すとおり、対象構造物（中空構造柱３）の左右両側の壁板３２と３１の間隔Ｌ１（図２Ａ）に対して、同外筒５３の左端が中空構造柱３の左側の壁板３１の右側内面（内側面）へ突き当たった状態で、同外筒５３の右端は右側壁板３２に設けられた通孔３２ａを突き抜けて外方（右方）へ少なくとも２ｍｍ程度突き出る長さ（上記の寸法仕様の例で言えば８２ｍｍ程度）に設計、製作されている。ナット部材５１による締め込みを確実に機能させるためである。
一方、上記ボルト５０の長さは、例えば図２Ａ、Ｂの実施例によれば、中空構造柱３の左側の壁板３２の右側内面へ外筒５３の先端（左端）が上記の如く突き当たった状態において、ボルト５０の右側部分は、未だ同外筒５３の右端から右方へ以後の操作に必要十分な長さが突き出している。
図２Ａに示したとおり、このブラインドボルト型止め金具は、同ボルト５０の右端部分に形成された雄ねじ部５０ａへナット部材５１を適度な位置までねじ込み、以後の締め込み操作に必要十分なねじ込み長さを残した状態で、適用対象である中空構造柱３に加工してある通孔３２ａから、中空構造柱３の左方側へ同ボルト５０の先端部及び位置決めストッパ片５４を、先側の通孔３２ａに向かって狙い定めて挿入する。
【００２４】
ボルト５０の右端側部分の雄ねじ部５０ａへねじ込まれたナット部材５１の前面（左端面）が外筒５３の右端へ密接する（突き当たる）位置まで押し込むと、図２Ｂに示したように、外筒５３の左端位置から突き出されたボルト５０の先端側は、中空構造柱３の左側壁板３２の外にまで突き出される。そして、位置決めストッパ片５４は対象構造物３の左側壁板３１の外に後端部が突き出る位置まで突き出される。従って、外筒５３による拘束を失った位置決めストッパ片５４は、その偏重量効果の作用で回転しぶら下がり状態となる（図２Ｂ）。
【００２５】
上記の状態変化は、例えばナット部材５１を持った使用者の手の感覚で確認できる。そこで使用者は、ボルト５０を強く右方へ引き出し、図２Ｃに例示した如く、位置決めストッパ片５４が対象構造物３の左側壁板３１の外面へ突き当たった状態にする。しかる後にナット部材５１を回転して雄ねじ５０ａの長さの範囲内で締め込んで行く。
このときは既に図２Ｃに示した様に、位置決めストッパ片５４が中空構造柱３の左側壁板３２へ強力に突き当たって回転が阻止される状態となっており、ナット部材５１による必要十分な締め込みができ、当該ボルト型留め金具５の強固な設置が完成する。
【００２６】
したがって作業者は、ストッパ片５４の前記動作をボルト５０を持つ手の感触により確認してブラインドボルト型留め金具５の設置状態の完全を確かめる。その上で、右側位置のナット部材５１を直接に利用して、又は同ナット部材５１に付設された治具５２を利用して種々の作業目的を達成することができる。或いは図示したリング形状の治具５２を使用して、目的とする用途に利用することができる。
【００２７】
以上に本発明を各実施例等に基づいて説明したが、もとより本発明は上述した各実施例の構成に限定されない。いわゆる当業者が必要に応じて行う種々な変更、応用、利用の範囲をも、本発明の要旨（技術的範囲）に含むことを念のため申し添える。
【符号の説明】
【００２８】
３      対象構造物
３１      壁板
３２      壁板
３１ａ    通孔
３２ａ    通孔
５      ボルト型留め金具
５０      ボルト
５０ａ    雄ネジ部
５１      ナット部材
５２      治具
５３      外筒
５３ｂ    フランジ
５３ｃ    フランジ
５４      位置決めストッパ片
５５      回転軸
５６      長溝孔
５７      位置決め突起
【図１】
2017032114.tif 000003
【図２】
2017032114.tif 000004
【図３】
2017032114.tif 000005
【図４】
2017032114.tif 000006